(57)【要約】      （修正有）【課題】ロック部材の固定解除レバーの操作によって、誤操作を防止したメンテナンス作業を行うと共に、簡潔で廉価な脱穀機の扱室開閉操作構造を提供する。【解決手段】扱室ケース３を機体奥側の支点軸３３を回動支点として上下回動可能に支持し、扱室ケース３を下方回動させて脱穀作業姿勢にした状態で、脱穀下部機枠１ａにロック機構５を介して係脱可能に固定すると共に、該ロック機構５を固定解除レバー３Ｌの操作により固定解除し、扱室ケース３を脱穀作業姿勢から上方回動させてメンテナンス作業姿勢にしたとき、該扱室ケース３を支持ロック機構５ｂに係合させてメンテナンス作業姿勢に固定可能に構成した脱穀機の扱室開閉操作構造であって、前記扱室ケース３をメンテナンス作業姿勢に固定しているとき、固定解除レバー３Ｌを操作することにより、支持ロック機構５ｂの固定を解除自在に構成した。【選択図】図３
2013201993.tif 000002
【特許請求の範囲】
【請求項１】
入口側板（３１）と出口側板（３２）との間で扱胴（１２）を回転可能に軸支する扱室ケース（３）を、機体奥側の支点軸（３３）を回動支点として上下回動可能に支持し、扱室ケース（３）を下方回動させて脱穀作業姿勢にした状態で、脱穀下部機枠（１ａ）にロック機構（５）を介して係脱可能に固定すると共に、該ロック機構（５）を固定解除レバー（３Ｌ）の操作により固定解除し、扱室ケース（３）を脱穀作業姿勢から上方回動させてメンテナンス作業姿勢にしたとき、該扱室ケース（３）を支持ロック機構（５ｂ）に係合させてメンテナンス作業姿勢に固定可能に構成した脱穀機の扱室開閉操作構造において、
前記扱室ケース（３）をメンテナンス作業姿勢に固定しているとき、固定解除レバー（３Ｌ）を操作することにより、支持ロック機構（５ｂ）の固定を解除自在に構成したことを特徴とする脱穀機の扱室開閉操作構造。
【請求項２】
入口側板（３１）と出口側板（３２）との間で扱胴（１２）を回転可能に軸支する扱室ケース（３）を、機体奥側の支点軸（３３）を回動支点として上下回動可能に支持し、扱室ケース（３）を下方回動させて脱穀作業姿勢にした状態で、脱穀下部機枠（１ａ）にロック機構（５）を介して係脱可能に固定すると共に、該ロック機構（５）のロック部材（５１）を固定解除レバー（３Ｌ）の操作により固定解除し、扱室ケース（３）を脱穀作業姿勢から上方回動させてメンテナンス作業姿勢にしたとき、該扱室ケース（３）を支持ロック機構（５ｂ）の扱室ケース支持部材（５７）を係合させてメンテナンス作業姿勢に固定可能に構成した脱穀機の扱室開閉操作構造において、
前記ロック部材（５１）を解除操作する固定解除レバー（３Ｌ）に、扱室ケース（３）をメンテナンス作業姿勢に固定している扱室ケース支持部材（５７）を連繋させ、上記固定解除レバー（３Ｌ）の操作に基づき扱室ケース支持部材（５７）の固定姿勢を解除自在に構成したことを特徴とする請求項１記載の脱穀機の扱室開閉操作構造。
【請求項３】
固定解除レバー（３Ｌ）又は該固定解除レバー（３Ｌ）とロック部材（５１）を連結する連繋部材（５２）に、固定姿勢にある扱室ケース支持部材（５７）を固定解除姿勢に切換え作動させる支持切換杆５８と連結する連繋部材（５９）を連繋させることにより、固定姿勢にある扱室ケース支持部材（５７）を、固定解除レバー（３Ｌ）の操作に基づき、連繋部材（５９）及び支持切換杆（５８）等を介して固定解除姿勢に切換えるように構成した請求項２記載の脱穀機の扱室開閉操作構造。
【請求項４】
ロック部材（５１）に、扱室ケース（３）をメンテナンス作業姿勢に固定する扱室ケース支持部材（５７）と係合する支持切換部材（７０）を設け、固定解除レバー（３Ｌ）の操作に基づき、扱室ケース支持部材（５７）と支持切換部材（７０）の係合を解除自在に構成した請求項２記載の脱穀機の扱室開閉操作構造。
【発明の詳細な説明】
【技術分野】
【０００１】
本発明は、脱穀機の扱室開閉操作構造に関する。
【背景技術】
【０００２】
従来、入口側板と出口側板との間で扱胴を回転可能に軸支する扱室ケースを、脱穀下部機枠にロック機構を介して係脱可能に固定し、機体奥側の支点軸を回動支点として上下回動可能に支持すると共に、上記ロック機構のロック部材を固定解除レバーの操作により固定解除して、扱室ケースをメンテナンス作業姿勢に上方回動させたとき、該扱室ケースを支持ロック機構の扱室ケース支持部材との係合によりメンテナンス作業姿勢に固定するように構成した脱穀機の扱室開閉操作構造が既に公知である（例えば特許文献１参照）。
上記扱室開閉操作構造は、ロック部材の固定解除レバーと扱室ケース支持部材の固定解除レバーとを、脱穀機体手前側(フィードチェン側)において、機体外方に向け並べて突設した構成となっている。
【先行技術文献】
【特許文献】
【０００３】
【特許文献１】特開２００９−６０８３５号公報
【発明の概要】
【発明が解決しようとする課題】
【０００４】
上記特許文献１に示される扱室開閉操作構造は、脱穀機に後部(出口側板側)に２種類の固定解除レバーが突設しているため、メンテナンス作業姿勢にある扱室ケースを下方回動する際に、２つのレバーの選択を誤って誤操作をし易い欠点があると共に、２つの固定解除レバーの選択操作に留意しなければならずメンテナンス作業を非能率にする等の欠点がある。また扱室ケース支持部材の固定解除をさせるための専用のレバー構造を必要とするので、部品数も多くなり扱室開閉操作構造を複雑化させると共に、コスト高になる等の課題もある。
【課題を解決するための手段】
【０００５】
上記課題を解決するための本発明は、第１に、入口側板３１と出口側板３２との間で扱胴１２を回転可能に軸支する扱室ケース３を、機体奥側の支点軸３３を回動支点として上下回動可能に支持し、扱室ケース３を下方回動させて脱穀作業姿勢にした状態で、脱穀下部機枠１ａにロック機構５を介して係脱可能に固定すると共に、該ロック機構５を固定解除レバー３Ｌの操作により固定解除し、扱室ケース３を脱穀作業姿勢から上方回動させてメンテナンス作業姿勢にしたとき、該扱室ケース３を支持ロック機構５ｂに係合させてメンテナンス作業姿勢に固定可能に構成した脱穀機の扱室開閉操作構造において、
前記扱室ケース３をメンテナンス作業姿勢に固定しているとき、固定解除レバー３Ｌを操作することにより、支持ロック機構５ｂの固定を解除自在に構成したことを特徴としている。
第２に、入口側板３１と出口側板３２との間で扱胴１２を回転可能に軸支する扱室ケース３を、機体奥側の支点軸３３を回動支点として上下回動可能に支持し、扱室ケース３を下方回動させて脱穀作業姿勢にした状態で、脱穀下部機枠１ａにロック機構５を介して係脱可能に固定すると共に、該ロック機構５のロック部材５１を固定解除レバー３Ｌの操作により固定解除し、扱室ケース３を脱穀作業姿勢から上方回動させてメンテナンス作業姿勢にしたとき、該扱室ケース３を支持ロック機構５ｂの扱室ケース支持部材５７を係合させてメンテナンス作業姿勢に固定可能に構成した脱穀機の扱室開閉操作構造において、
前記ロック部材５１を解除操作する固定解除レバー３Ｌに、扱室ケース３をメンテナンス作業姿勢に固定している扱室ケース支持部材５７を連繋させ、上記固定解除レバー３Ｌの操作に基づき扱室ケース支持部材５７の固定姿勢を解除自在に構成したことを特徴としている。
第３に、固定解除レバー３Ｌ又は該固定解除レバー３Ｌとロック部材５１を連結する連繋部材５２に、固定姿勢にある扱室ケース支持部材５７を固定解除姿勢に切換え作動させる支持切換杆５８と連結する連繋部材５９を連繋させることにより、固定姿勢にある扱室ケース支持部材５７を、固定解除レバー３Ｌの操作に基づき、連繋部材５９及び支持切換杆５８等を介して固定解除姿勢に切換えるように構成したことを特徴としている。
第４に、ロック部材５１に、扱室ケース３をメンテナンス作業姿勢に固定する扱室ケース支持部材５７と係合する支持切換部材７０を設け、固定解除レバー３Ｌの操作に基づき、扱室ケース支持部材５７と支持切換部材７０の係合を解除自在に構成したことを特徴としている。
【発明の効果】
【０００６】
請求項１の発明によれば、扱室ケースをメンテナンス作業姿勢に固定しているとき、固定解除レバーを操作することにより、支持ロック機構の固定を解除自在に構成したことにより、固定解除レバーの操作によって、ロック部材の固定解除と扱室ケース支持部材の固定解除を行うことができるので、扱室ケースを上下方向に回動する際に、従来のものように複数のレバーを選択することなく単一レバーのみの操作によって、誤操作を防止したメンテナンス作業を能率よく行うことができ、また部品数の少ない廉価な扱室開閉操作構造にすることができる。
請求項２の発明によれば、ロック部材を解除操作する固定解除レバーに、扱室ケースをメンテナンス作業姿勢に固定している扱室ケース支持部材を連繋させ、上記固定解除レバーの操作に基づき扱室ケース支持部材の固定姿勢を解除自在に構成したことにより、複数のレバーを選択することなく単一の固定解除レバーの操作によって、ロック部材の固定解除と扱室ケース支持部材の固定解除を行うことができるので、誤操作を防止したメンテナンス作業を能率よく行うことができると共に、部品数の少ない廉価な扱室開閉操作構造にすることができる。
請求項３の発明によれば、固定解除レバー又は該固定解除レバーとロック部材を連結する連繋部材に、固定姿勢にある扱室ケース支持部材を固定解除姿勢に切換え作動させる支持切換杆と連結する連繋部材を連繋させることにより、固定姿勢にある扱室ケース支持部材を、固定解除レバーの操作に基づき、連繋部材及び支持切換杆等を介して固定解除姿勢に切換えるように構成したことにより、単一の固定解除レバーのみの操作によって、ロック部材の固定解除及び扱室ケース支持部材の固定解除を容易にすることができ、また扱室開閉操作構造を簡単に構成することができる。
請求項４の発明によれば、ロック部材に、扱室ケースをメンテナンス作業姿勢に固定する扱室ケース支持部材と係合する支持切換部材を設け、固定解除レバーの操作に基づき、扱室ケース支持部材と支持切換部材の係合を解除自在に構成したことにより、単一の固定解除レバーのみの操作による扱室ケース支持部材の固定解除を、簡潔且つ廉価な構成によって行うことができる。
【図面の簡単な説明】
【０００７】
【図１】本発明の第１実施形態に係わる扱室開閉操作構造を備えた脱穀機の斜視図である。
【図２】図１の入口側板側の側面図である。
【図３】図１の出口側板側の側面図である。
【図４】扱室ケース及び排藁搬送装置の構造を一部破断をして示す平面図である。
【図５】固定機構の構成及び作用を示し、（Ａ）は固定爪の解除姿勢を示す側面図。（Ｂ）は同図（Ａ）の固定爪の受入れ姿勢を示す側面図。（Ｃ）は固定爪の固定姿勢を示す側面図である。
【図６】ロック機構と固定機構との連繋構造を示す要部の平面図である。
【図７】本発明の第２実施形態に係わる扱室開閉操作構造の構成を示す側面図である。
【図８】揺動選別機構の全体構造を示す斜視図である。
【図９】揺動選別機構のストローラック部を示す斜視図である。
【図１０】ストローラック部の別実施形態を示す後面図である。
【発明を実施するための形態】
【０００８】
本発明の一実施形態を図面に基づき説明する。図１〜図４，図７符号１はコンバイン等の走行機体に搭載される脱穀機であり、機体前方に設けた刈取部（不図示）の後方に設置されて、刈取穀稈をフィードチェン１０を介して扱室１１内に供給し扱胴１２によって脱穀すると共に、脱穀物を受網１３の下方に設置される揺動選別機構１４で選別する。そして、選別された穀粒は機側に設置したグレンタンク１５に収容し、夾雑物(藁屑類)は排塵口１６から機外後方へ排出し、また脱穀済の排藁はフィードチェン１０の終端から排藁搬送装置２に継送して機外に排出する。尚、上記揺動選別機構１４は後述する図８〜図１０に示すように構成している。
【０００９】
この脱穀機１は、脱穀機体の脱穀下部機枠１ａに対し、脱穀上部機枠となる扱室ケース３と排藁搬送装置２とを、共に内側（扱室１１の奥側）を支点とし外側（フィードチェン１０側）を大きく開動できる構成にしている。これにより脱穀機１は図２，図３に示すように、通常の脱穀作業姿勢（実線状態）から、扱室１１及び排藁搬送装置２の下方を開放させたメンテナンス作業姿勢に切り換えることができ、扱室１１内や穀稈搬送経路等における詰まりの除去や清掃、及び点検修理等のメンテナンス作業を行うようにしている。
【００１０】
上記排藁搬送装置２は、後述する図４で示す支持構造によって支持された搬送フレーム２０に排藁チェーン２１を巻き掛けた状態で、扱室ケース３の後方でフィードチェン１０の終端側から、内側に向けて内向き傾斜状に取付支持しながら、排藁を略水平姿勢で搬送するようにしている。尚、脱穀下部機枠１ａ側に設けたフィードチェン１０には、扱室ケース３側に設けた挟持レール１０ａを対設し、また排藁チェーン２１には脱穀下部機枠１ａの後部天板側に設けた挟持レール２１ａを対設し、穀稈挟持搬送を一連に行うようにしている。
【００１１】
扱室ケース３は図２〜図４に示すように、天板３０の前後両側に扱胴１２を回転可能に軸支する入口側板３１と出口側板３２を垂設しており、脱穀下部機枠１ａ側に張設される受網１３との間で扱室１１を形成している。そして、扱室ケース３は、ケース奥側前後部に突設する一対のケースアーム３Ｍを、機体右側で脱穀下部機枠１ａに前後方向に横設した支点軸３３に回動可能に嵌挿し、各ケースアーム３Ｍに入口側板３１と出口側板３２との奥側（機体の内側）とを固設している。これにより扱室ケース３は、図２，図３の点線に示すように、ケースアーム３Ｍを介し支点軸３３を中心として上下回動可能に支持される。また支点軸３３は、脱穀下部機枠１aの奥側前後部に取付けられており、出口側板３２の背面から後方の排藁搬送装置２に近接する位置まで延設し、後端部をグレンタンク１５の穀粒排出筒１５ａ側から延設した支持フレーム１７と接続し補強支持している。
【００１２】
次に、図１〜図４を参照し本発明の第１実施形態に係る脱穀機の扱室開閉操作構造について詳述する。先ず、扱室ケース３は図１に示す脱穀作業姿勢から、扱室ケース３の前壁側（フィードチェン１０側）に設けた前後の固定解除レバー３Ｌを上方向に操作することにより、入口側板３１側のロック機構５ａと出口側板３２側のロック機構５を解除し、支点軸３３を中心に上方に回動する。これにより扱室１１及び排藁搬送装置２の下方を開放させたメンテナンス作業姿勢に切り換えることができる。上記ロック機構５ａ，５は、何れもフック部５０が形成される板状のロック部材５１ａ，５１を、扱室ケース３の入口側板３１と出口側板３２に突設した取付軸３２ａに回動自在に軸支し、且つその他側をそれぞれ前記各固定解除レバー３Ｌと連結杆(連繋部材)５２で連結した状態で、スプリング５３によってロック方向に付勢している。これによりロック部材５１ａ，５１は、フック部５０を脱穀下部機枠１ａに突設したピン軸状の固定片５４に対し、係脱可能に係止する。
【００１３】
この際に、出口側板３２側に構成されるロック機構５は、ロック部材５１の上部側（連結杆５２側）に長孔状の連繋部５５を形成し、該連繋部５５と後述する操作杆６１に突設した連結片６１ａを連杆５６で連結することにより、固定解除レバー３Ｌに対し、ロック機構５のロック部材５１と固定機構６の固定爪６０を同時に固定解除させるように連繋させている。これにより扱室ケース３と排藁搬送装置２との固定解除操作は同時的に行なわれる。上記ロック部材５１は、固定解除レバー３Ｌの上方操作（図３の矢印で示す解除操作）に基づき、取付軸３２ａを中心に回動し固定片５４との係合が離脱したとき、スプリング５３の付勢力によって、出口側板３２に突設したストッパ３２ｂに接当せしめて所定量以上の回動を不能にしている。尚、扱室ケース３は機体外方側で前後方向に突出する取っ手３Ｈを備えており、該取っ手３Ｈを把持して扱室ケース３の上下回動方向への支持を行い易くしている。
【００１４】
これにより扱室ケース３及び排藁搬送装置２を、メンテナンス作業姿勢から下降回動させて脱穀作業姿勢へ復帰させるとき、フック部５０はスプリング５３に抗して固定片５４に自動的に係合作動し復帰動作を行う。さらに、出口側板３２側のロック機構５の上方には、扱室ケース３のメンテナンス作業姿勢を一時的に保持する支持ロック機構５ｂを設置している。また脱穀下部機枠１ａと入口側板３１，出口側板３２との各間には、扱室ケース３及び排藁搬送装置２の自重に抗し、両者の上昇回動を助成する公知のガスダンパー機構等からなる上昇回動付勢機構３Ｓを介装している。
【００１５】
そして、図３に示す扱室開閉操作構造の支持ロック機構５ｂは、扱室ケース３をメンテナンス作業姿勢に支持する扱室ケース支持部材５７と、該扱室ケース支持部材５７を固定姿勢から固定解除姿勢に切換える支持切換杆５８等によって構成している。扱室ケース支持部材５７は、その中途部を脱穀下部機枠１ａに突設した取付軸３２ｃに回動可能に枢支し、その上端外方側に鉤型状のストッパ部５７ａを切欠形成していると共に、下端をスプリング５７ｂによって内方に向けて引っ張り付勢している。支持切換杆５８は、その中途部を出口側板３２側のケースアーム３Ｍに突設した取付軸５８ａに回動可能に枢支している。そして、支持切換杆５８はその上端に支持解除レバー５７Ｌ側と接続する解除ワイヤ(連繋部材)５９の他端と接続させ、下端に前記扱室ケース支持部材５７を固定姿勢から固定解除姿勢に切換えるように接当させる切換ピン５８ｂを前方に向けて突設している。
【００１６】
上記構成において、支持切換杆５８の取付軸５８ａは、スプリング５７ｂによって付勢される扱室ケース支持部材５７の機体外方側への傾倒を規制しながら摺接させるガイド部材と、メンテナンス作業姿勢における扱室ケース３を、ストッパ部５７ａに係合させて支持させるストッパ部材を兼用させる位置に設けている。また連繋部材としての解除ワイヤ５９は、インナワイヤ基部を支持解除レバー５７Ｌと連結杆５２とを接続する接続杆５２ａの中途部に接続している。これにより支持解除レバー５７Ｌは図３の矢印方向に上動操作すると、連結杆５２と共に解除ワイヤ５９を矢印方向に引き作動し、支持切換杆５８を取付軸３２ｃ支点に回動させ切換ピン５８ｂを介して扱室ケース支持部材５７を支持解除方向に同時作動させることができる。また固定解除レバー３Ｌから手を放すと、扱室ケース支持部材５７と支持切換杆５８はスプリング５７ｂの付勢力によって元の支持待機姿勢に復帰される。
【００１７】
この構成により、固定解除レバー３Ｌを上動操作して扱室ケース３を上方回動するとき、支点軸３３を中心に取付軸５８ａが扱室ケース支持部材５７を押動しながら摺接し、取付軸３２ｃを中心に図３の点線で示す固定姿勢に傾倒させて、取付軸５８ａをストッパ部５７ａに係合させる。このとき扱室ケース３は、その自重が支点軸３３と扱室ケース支持部材５７に分担された状態で、メンテナンス作業姿勢に保持される。そして、メンテナンス作業姿勢から脱穀作業姿勢に切換える際には、固定解除レバー３Ｌを下動操作すると、点線で示す固定姿勢の支持切換杆５８が解除ワイヤ５９によって引かれて矢印方向に回動するため、切換ピン５８ｂが扱室ケース支持部材５７を係合解除方向に押動して取付軸５８ａとの係合を解除する。この状態で作業者は、固定解除レバー３Ｌから手を離し扱室ケース３を取っ手３Ｈを持って支えながら支点軸３３を支点に下方回動させると、最下降位置において前記ロック部材５１が固定片５４に自動的に係合するため脱穀作業姿勢に保持することができる。また同時に支持ロック機構５ｂの扱室ケース支持部材５７及び支持切換杆５８を、前記実線で示す支持待機姿勢にすることができる。
【００１８】
次に図３〜図６を参照し排藁搬送装置２について説明する。この排藁搬送装置２は脱穀作業姿勢において、搬送フレーム２０の始端部を出口側板３２側の搬送駆動部２ａで支持すると共に、搬送フレーム２０の終端部に設けた固定杆２２を融通支持機構２ｂを介して支持フレーム１７に支持し、且つ固定杆２２の前側寄りを前記固定機構６によって、支点軸３３に係脱自在に取付固定するようにしている。これにより前記ロック機構５ａ，５及び固定機構６を、前後の固定解除レバー３Ｌ，３Ｌを上方に操作して解除すると、そのまま扱室ケース３と排藁搬送装置２を開動することができる。このとき排藁搬送装置２は、融通支持機構２ｂを融通支持支点とし始端部側を上方に大きく開動させたメンテナンス作業姿勢になり、メンテナンス作業姿勢から脱穀作業姿勢に切り換える閉動時には、扱室ケース３と排藁搬送装置２を個々に自動的にロック（固定）することができる。
【００１９】
また、支点軸３３の後方延長部位で固定機構６寄りには、図４，図６で示すように、出口側板３２側と連結して補強支持する補強連結杆２６の取付ブラケット２７を回動可能に軸支しており、該取付ブラケット２７に取着した補強連結杆２６の他端は、搬送駆動部２ａを出口側板３２に支持する取付台２８に取付固定している。取付台２８はその下面に、搬送フレーム２０の始端に回動可能に軸支連結した排藁ギヤケース２８ａを取着しており、該排藁ギヤケース２８ａは扱胴１２側の回転動力を駆動スプロケットを介して排藁チェーン２１を駆動すると共に、前記融通支持機構２ｂと支持フレーム１７の連結及び固定機構６を解除したとき、排藁搬送装置２の終端側が搬送駆動部２ａ側を回動支点として単独回動可能となるように構成している。また排藁搬送装置２の固定杆２２を融通支持機構２ｂで支持した状態で、その終端部の上方移動及びガタ付を、前記固定機構６によって支点軸３３側に固定することによって防止している。
【００２０】
次に図３〜図６を参照し固定機構６について説明する。この固定機構６は、後部側の固定解除レバー３Ｌの操作に基づき、前記ロック部材５１及び連繋部材としての連杆５６を介し、固定爪６０を解除方向に回動作動させる操作杆６１を、支点軸３３側から突設させた複数の支持片６２，６２・・によって回動可能に枢支している。図示例の操作杆６１は、その端部側に取付片６３を突設し、該取付片６３に固定爪６０を位置決め調節可能に取付固定している。そして、支点軸３３は上記固定爪６０に対向する位置にＵ字状の受座６５を突設し、固定爪６０と支点軸３３との間に介装したスプリング６６の付勢力によって、受座６５内に固定杆２２を載置した状態において、該固定杆２２を固定爪６０で挟持固定するときガタ付を防止するように構成している。
【００２１】
また固定機構６は、排藁搬送装置２をメンテナンス作業姿勢から下方に復帰回動させて脱穀作業姿勢にするとき、スプリング６６で固定方向に付勢されている固定爪６０を、該スプリング６６に抗して固定杆２２を受け入れて元の固定姿勢に誘導させる、ガイドロック機構９を備えている。このガイドロック機構９は図５に示すように、前記取付ブラケット２７の側方に突設したピン軸状の作動部６７と、該作動部６７に係合可能に対向する位置の操作杆６１の中途部に突設され、後述する規制面８０と誘導面８１とを鉤型に形成した姿勢保持用のガイド部材８とからなる。これにより上方のメンテナンス作業姿勢から下降回動する固定杆２２を、固定爪６０が受入れ可能な開放姿勢（受入れ姿勢）から挟持固定姿勢へと誘導するように姿勢保持を行う。
【００２２】
即ち、図５（Ａ）で示すように、排藁搬送装置２をメンテナンス作業姿勢にした状態の固定爪６０の開放姿勢（固定解除姿勢）では、排藁搬送装置２の回動と共に同方向に回動する取付ブラケット２７の作動部６７が、開放姿勢にある固定爪６０と操作杆６１を介して一体的なガイド部材８の規制面８０に接当し、スプリング６６の付勢力に抗して同姿勢に保持するようにしている。従って、この状態で固定解除レバー３Ｌから手を離したとしても、固定爪６０は上記姿勢を安定よく維持することができ、扱室ケース３及び排藁搬送装置２の上昇回動を行うことができる。
【００２３】
そして、メンテナンス作業姿勢から排藁搬送装置２を脱穀作業姿勢に復帰回動させるとき、支点軸３３を中心とする取付ブラケット２７の復帰回動に伴い、同図（Ｂ）で示すように、作動部６７はガイド部材８の規制面８０から下側の誘導面８１を接当支持（規制保持）するように移行させる。このとき固定爪６０はスプリング６６の付勢力によって徐々に固定側に回動するが、その初期において固定爪６０は未だ開放状態の受入れ姿勢にあるので、固定杆２２は固定爪６０のフック部内に円滑に導入される。
【００２４】
次いで、排藁搬送装置２がさらに下降回動すると、同図（Ｃ）で示すように、作動部６７はガイド部材８の規制保持をしない位置になるから、固定爪６０はスプリング６６の付勢力によって固定姿勢になり、固定杆２２を図６で示す支点軸３３の延長部に形成した受座６５との間で挟持固定することができる。このように、扱室ケース３の回動支点に対し後方に偏位させた位置に回動支点（融通支持機構２ｂの設置位置）を設けた排藁搬送装置２は、上記ロック機構５による扱室ケース３のロック作動よりやや遅れたタイミングで作動したとしても、ロック機構５とは別個単独的にロック作動する固定爪６０によって、固定杆２２を受け入れて元の固定姿勢に誘導させながら、固定杆２２を自動的に挟持固定することができる。従って、扱室ケース３と排藁搬送装置２のロック作動に異なるタイミングを有していても、両者を脱穀作業姿勢に安定よく速やかに固定することができる。
【００２５】
以上のように構成される脱穀機１は脱穀作業を行うとき、扱室ケース３及び排藁搬送装置２を脱穀作業姿勢において、穀稈の株元側をフィードチェン１０により挟持搬送し、扱室１１内で穂先側を脱穀処理すると共に、脱穀済の排藁をフィードチェン１０から排藁搬送装置２に継送して機外に搬送排出する。このような脱穀作業時に、扱胴１２への穀稈の絡み付き、扱室１１内での藁屑類の詰まり、或いは排藁搬送装置２に排藁詰まり等が発生した場合に、先ず、前後の固定解除レバー３Ｌ，３Ｌを上動操作し前後のロック機構５ａ，５を解除する。これにより扱室ケース３と脱穀下部機枠１ａとのロックが解除され、また出口側板３２側のロック機構５と連繋する排藁搬送装置２の固定機構６が解除され、扱室ケース３を上方回動させる動作で、排藁搬送装置２を支点軸３３及び融通支持機構２ｂを介して上方回動することができる。
【００２６】
そして、両者は最上方回動されたメンテナンス作業姿勢になるとき、支持ロック機構５ｂの扱室ケース支持部材５７が扱室ケース３側の取付軸５８ａを自動的に係合支持するため、下方を大きく開放したメンテナンス作業姿勢に固定保持される。従って、作業者は、扱室２及び排藁搬送装置２に対する、藁屑や詰まりの除去並びに清掃や点検修理等のメンテナンス作業を容易に行うことができる。またメンテナンス作業を完了するとき、先ず扱室ケース３側を左手で支持しながら、右手で支持解除レバー５７Ｌを固定解除操作をして、そのまま両手で取っ手３Ｍを持って扱室ケース３を下方回動動作をする。これにより扱室ケース３の下方回動と共に排藁搬送装置２も通常の排藁搬送位置に下降させることができ、扱室ケース３をロック機構５，５ａを介し脱穀下部機枠１ａ側に固定すると共に、排藁搬送装置２を固定機構６を介し支点軸３３側に固定することができ、再び脱穀作業を行うことができる。
【００２７】
このようなメンテナンス作業終了に伴う扱室ケース３の脱穀作業姿勢への復帰は、ロック部材５１を解除操作する固定解除レバー３Ｌに、扱室ケース３をメンテナンス作業姿勢に固定している扱室ケース支持部材５７を連繋させ、上記固定解除レバー３Ｌの操作に基づき扱室ケース支持部材５７の固定姿勢を解除し、メンテナンス作業姿勢にある扱室ケース３を下方回動させ脱穀作業姿勢に復帰させる扱室開閉操作構造にしていることにより、固定解除レバー３Ｌの操作によって、ロック部材５１の固定解除と扱室ケース支持部材５７の固定解除を行うことができるので、扱室ケース３を上下方向に開閉する際に、出口側板３２側に１本だけ設置される単一の固定解除レバー３Ｌのみのワンタッチ的な操作によって行うことができる。従って、従来のものように複数のレバーを選択して操作することなく、誤操作を防止したメンテナンス作業を能率よく行うことができる。また部品数の少ない廉価な扱室開閉操作構造にすることができる。
【００２８】
また上記扱室開閉操作構造は、固定解除レバー３Ｌ又は該固定解除レバー３Ｌとロック部材５１を連結する連杆５２に、扱室ケース支持部材５７側に設けた連繋部材（ワイヤ）５９を連繋させることにより、固定姿勢にある扱室ケース支持部材５７を固定解除姿勢に切換えるように構成すると、単一の固定解除レバー３Ｌのみの操作によって、ロック部材５１の固定解除及び扱室ケース支持部材５７の固定解除を容易にすることができ、また扱室開閉操作構造を簡潔な構成することができる。さらに、扱室ケース支持部材５７及び支持切換杆５８等を、図示例のように出口側板３２側のケースアーム３Ｍの前方側に設置した支持ロック機構５ｂは、扱室ケース３の奥側外周に形成されるスペース内にコンパクトに纏めて設置することができ、扱室開閉操作構造を簡潔で廉価な構成にすることができる等の特徴がある。
【００２９】
次に、本発明の第２実施形態に係る扱室開閉操作構造について図７を参照し説明する。尚、前記第１実施形態のものと同様な構成及び作用については説明を省略する。この扱室開閉操作構造は、支持ロック機構５ｂを、扱室ケース３をメンテナンス作業姿勢に支持する扱室ケース支持部材５７と、該扱室ケース支持部材５７を固定姿勢から固定解除姿勢に切換える支持切換部材７０等によって構成している。扱室ケース支持部材５７は、その先端部に前記第１実施形態の扱室ケース支持部材５７と同様なストッパ部５７ａを形成しており、他端を脱穀下部機枠１ａに突設した取付軸３２ｃに回動可能に枢支している。
【００３０】
また図示例の支持切換部材７０は、前記ロック部材５１を利用し、該ロック部材５１に連結杆５２を取付ける取付軸５１ｂを利用して構成している。また上記扱室ケース支持部材５７は、その下側辺を連結杆５２の上側辺に摺動自在に載せた状態で取付軸５１ｂの上方に臨ませている。また上記ロック部材５１には、取付軸５１ｂの近傍に取付軸５１ｂとストッパ部５７ａとの係合解除用の解除軸７２を前側に向けて突設している。尚、支持切換部材７０は、取付軸５１ｂを兼用したものに限ることなく、ロック部材５１そのものの形状変更によって行うようにしてもよい。
【００３１】
この構成により、扱室ケース３をメンテナンス作業姿勢にするとき、固定解除レバー３Ｌを上方操作すると、ロック部材５１が取付軸３２ａを中心に回動し固定片５４との係合を離脱したのち、扱室ケース３が上方回動される動作に基づき、扱室ケース支持部材５７が上向き回動しながら追随して点線で示す固定姿勢になり、このとき取付軸５１ｂがストッパ部５７ａに自動的に係合する。これにより扱室ケース３は、取付軸５１ｂを介して扱室ケース支持部材５７によって支持された、メンテナンス作業姿勢を保持することができる。
【００３２】
また扱室ケース３の脱穀作業姿勢への切換操作は、前記第１実施形態のものと同様に、先ずメンテナンス作業姿勢の扱室ケース３を手で支持しながら固定解除レバー３Ｌを上方に操作すると、連結杆５２を介してロック部材５１が取付軸３２ａを中心に回動するので、取付軸５１ｂがストッパ部５７ａから離脱する。このとき、ロック部材５１に突設した解除軸７２は、扱室ケース支持部材５７をその下辺側を上方に向けて押動するので、取付軸５１ｂとストッパ部５７ａとの係合解除を助成する。
【００３３】
以上のように、ロック部材５１に支持切換部材７０を設け、固定解除レバー３Ｌの固定解除操作に基づき、固定姿勢にある扱室ケース支持部材５７を支持切換部材７０によって固定解除姿勢に切換作動させるように構成した扱室開閉操作構造は、単一の固定解除レバー３Ｌのみの操作による扱室ケース支持部材５７の固定解除を、解除ワイヤや連結片等の連繋部材５２を要しないため、扱室開閉操作構造を簡潔で廉価な構成にすることができると共に、コンパクトに纏めて設置することができる等の特徴がある。
【００３４】
次に、脱穀機が備える前記揺動選別機構１４について図２，図８，９，１０を参照し説明する。この揺動選別機構１４は、脱穀下部機枠１ａ内で前後方向に形成される選別風路１ｃ内において、受網１３の下方で前後方向に向けて揺動駆動自在に支持される。図示例の揺動選別機構１４は、平面視で方形状をなす選別機枠１４ａ内に在来のものと同様な構成によって、上下段に設置されるチャフシーブ８６と図示しない選別網を介し、受網７５から漏下した脱穀物を選別方向上流側で受けながら選別し、１番物（選別穀粒）を一番樋８７に、また二番物を二番樋に供給し、且つ藁屑類は選別方向下流側に移送し、チャフシーブ８６の終端部に構成されるストローラック部８９によって篩選別をして機外に排出する。この揺動選別機構１４のストローラック部８９は、扱胴２１の回転により選別室の奥側寄り(左側)に多量に偏在した状態で送られてくる藁屑類を左側に均しながら良好な篩い選別及び排出を促進するようにしている。
【００３５】
即ち、図９に示すようにストローラック部８９は、上辺に突起歯を鋸刃状に形成した複数本のラック板９０を、チャフシーブ８６の終端部から選別機枠１４ａの後壁９１の上部に向けて、所定の選別間隔を有して突設している。そして、平面視において各ラック板９０は、基部側から自由端となる先端を右側に向けて斜めに平行状となって傾斜するように配設している。これにより受網１３及びチャフシーブ８６の終端から左側に偏在して供給される藁屑類は、各ラック板９０の平面視傾斜により全体として右側に向けて解され均された状態となりながら、篩振動が付与されるラック送りを受けつつ風選別されるため、良好な篩い選別及び排出が促進される。
【００３６】
従って、揺動選別機構１４に対し機体内方(左側)に偏って多量に供給される藁屑類を、機体外方(右側)に向けて篩い移動させて、ストローラック部８９による篩い選別をスムーズにするため、ストローラック部８９から落下する２番還元物中への藁屑類の混入を低減することができる等の特徴がある。尚、上記ストローラック部８９は、最右側のラック板９０と最左側のラック板９０とによって選別機枠１４ａとの間に三角形状の左隙間部９２と右隙間部９３を形成するが、この隙間部には必要により、隙間の大きさ等の状況に応じて、例えば図９に点線で示すような小型の補助ラック板９５を設けるとよい。
【００３７】
また上記ストローラック部８９の各ラック板９０は、先端を後壁９１に対し平行状をなすように点線軌跡Ａ（図９）で示す線に一致させているが、該点線軌跡Ａに対し右側を後退傾斜させた点線軌跡Ｂに一致させるように設けてもよい。この場合には、後壁９１と点線軌跡Ｂに一致させる各ラック板９０の間隙を右側に向けて徐々に大きくして、藁屑類の揺動選別機構１４内への還元落下を促進することができる。このため、特にストローラック部８９の右側上方に吸引式の排塵ファンが設置されるような脱穀機において、吸引風によって引き寄せられる藁屑類がストローラック部８９の右側寄りに過大に堆積することを抑制することができるので、排塵ファンへの藁屑類の詰まりを防止した脱穀作業をスムーズに行うことができる。
【００３８】
また上記のようなストローラック部８９は図１０に示すように、各ラック板９０の高さを左側から右側に向けて下り傾斜をなすように配設してもよく、この場合には、右側に多量に偏在する藁屑類を下り傾斜に沿わせてより速やかに左側に向けて篩い選別移送をして、藁屑類の排出を促進することができる等の特徴がある。
【符号の説明】
【００３９】
１ 脱穀機
１ａ  脱穀下部機枠
２ 排藁搬送装置
３ 扱室ケース
３Ｌ 固定解除レバー
５ ロック機構
５ｂ  支持ロック機構
６ 固定機構
１１ 扱室
１２ 扱胴
３１  入口側板
３２  出口側板
３３  支点軸 
５１  ロック部材
５９  連繋部材
７０  支持切換部材
【図１】
2013201993.tif 000003
【図２】
2013201993.tif 000004
【図３】
2013201993.tif 000005
【図４】
2013201993.tif 000006
【図５】
2013201993.tif 000007
【図６】
2013201993.tif 000008
【図７】
2013201993.tif 000009
【図８】
2013201993.tif 000010
【図９】
2013201993.tif 000011
【図１０】
2013201993.tif 000012